(57)【特許請求の範囲】
【請求項１】
矩形状かつ平面状に形成された第１パーティションと第２パーティションとを備えるパーティションセットであって、
前記第１パーティションは、平面視した際に一の前記第１パーティションと他の前記第１パーティションとを交差した状態で組付け可能な接続用スリットを備え、
前記第１パーティション及び前記第２パーティションは、平面視した際に交差した状態で組付けられた一の前記第１パーティションと他の前記第１パーティションの各々に前記第２パーティションを組付けることによって一の前記第１パーティションと他の前記第１パーティションとが形成する角度を規制する規制用スリットと、を備え、
前記規制用スリットは、前記第１パーティションにおいて前記接続用スリットと異なる部位に設けられ、
前記規制用スリットは、前記第２パーティションにおいて２以上設けられ、
前記第２パーティションは、一の前記第１パーティションと他の前記第１パーティションとを交差した状態で組み付けた際に一の前記第１パーティションと他の前記第１パーティションに対して傾斜して組み付けられる場合にのみ用いられるパーティションセット。
【請求項２】
前記接続用スリットは、前記第１パーティションにおいて矩形状を構成する第１辺に設けられ、
前記規制用スリットは、前記第１パーティションにおいて矩形状を構成する前記第１辺と前記第１辺に対向する第２辺とに設けられる請求項１に記載のパーティションセット。
【請求項３】
前記接続用スリットは、一の前記第１パーティションと他の前記第１パーティションとを組付け、前記第２パーティションを一の前記第１パーティションと他の前記第２パーティションとに組付けていない状態において一の前記第１パーティションと他の前記第１パーティションとが形成する角度が変更可能な幅寸法に構成している請求項１又は２に記載のパーティションセット。
【請求項４】
前記第２パーティションにおいて前記規制用スリットの並ぶ間隔が異なる２種類以上の前記第２パーティションを備える請求項１〜３のいずれか１項に記載のパーティションセット。
【請求項５】
前記第２パーティションは、前記規制用スリットを３つ以上並べて設けている請求項１〜３のいずれか１項に記載のパーティションセット。
【請求項６】
前記第１パーティション及び前記第２パーティションは繊維強化プラスチックを材料に含む請求項１〜５のいずれか１項に記載のパーティションセット。
【発明の詳細な説明】
【技術分野】
【０００１】
本発明は、パーティションセットに関する。
【背景技術】
【０００２】
建物における応接フロア等で周囲の音を聞こえにくくするためにパーティションが設けられることがある（特許文献１参照）。
【先行技術文献】
【特許文献】
【０００３】
【特許文献１】特許第４３６６６２３号明細書
【発明の概要】
【発明が解決しようとする課題】
【０００４】
発明者は、上記のようなパーティションを災害時の避難スペースの設置に使用する際に、簡便に避難スペースが用意できるパーティションを開発するよう、鋭意検討を行っている。
【０００５】
本発明は、簡便に避難スペースが用意できるパーティションを提供することを目的とする。
【課題を解決するための手段】
【０００６】
本発明の一態様は、矩形状かつ平面状の第１パーティションと第２パーティションとを備えるパーティションセットである。第１パーティションは、平面視した際に一の第１パーティションと他の第１パーティションとを交差した状態で組付け可能な接続用スリットを備える。また、第１パーティション及び第２パーティションは規制用スリットを備える。規制用スリットは、平面視した際に交差した状態に組付けられた一の第１パーティションと他の第１パーティションの各々に第２パーティションを組付けることによって一の第１パーティションと他の第１パーティションとが形成する角度を規制する。規制用スリットは、第１パーティションにおいて接続用スリットと異なる部位に設けられる。規制用スリットは、第２パーティションにおいて２以上設けられる。第２パーティションは、一の第１パーティションと他の第１パーティションとを交差した状態で組み付けた際に一の第１パーティションと他の第１パーティションに対して傾斜して組み付けられる場合にのみ用いられる。
【発明の効果】
【０００７】
上記パーティションセットによれば、避難スペースを簡便に用意できる。
【図面の簡単な説明】
【０００８】
【図１】本発明の一実施形態に係るパーティションセットにより形成した避難スペースを示す斜視図である。
【図２】図１の平面図である。
【図３】パーティションセットを構成する第１パーティションを示す正面図である。
【図４】パーティションセットを構成する第２パーティションを示す正面図である。
【図５】図１の変形例に係るパーティションセットの１ブロックを示す斜視図である。
【図６】図４の変形例に係る第２パーティションを示す正面図である。
【発明を実施するための形態】
【０００９】
以下、添付した図面を参照しながら本発明の実施形態を説明する。なお、以下の記載は特許請求の範囲に記載される技術的範囲や用語の意義を限定するものではない。また、図面の寸法比率は説明の都合上誇張されており、実際の比率と異なる場合がある。
【００１０】
図１、２は本発明の一実施形態に係るパーティションセットＳで形成した避難スペースを示す斜視図、平面図である。図３はパーティションセットＳを構成する第１パーティション１０を示す正面図、図４はパーティションセットを構成する第２パーティション２０を示す正面図である。本発明に係るパーティションセットＳは、図１に示すように災害や有事の際の避難者Ｈの避難スペースとして使用することができる。
【００１１】
パーティションセットＳは、図２に示すように第１パーティション１０と、第２パーティション２０と、を有する。パーティションセットＳは、第１パーティション１０と第２パーティション２０とを組み立てて形成したブロックＢを並べて、例えば図２に示すように略コの字又はＵの字に形成できる。パーティションセットＳは、第１パーティション１０と第２パーティション２０とを矩形状に並べて形成したブロックＢを複数配置して形成している。第１パーティション１０と第２パーティション２０とを組み付けて形成したブロックＢの内部空間には一例として図１に示す砂袋Ｓｄなどを配置することができる。
【００１２】
第１パーティション１０は、図３に示すように略矩形の平面状に形成している。第１パーティション１０は、図３に示すように接続用スリット１１、１２と、規制用スリット１３、１４、１５、１６と、を備える。ここで、説明の便宜上、第１パーティションにおいて隣接する２つのパーティションを図２に示すように第１パーティション１０ａ、１０ｂとする。そして、隣接する第１パーティションについて説明する際には第１パーティションに符号１０ａ、１０ｂを用い、その他の説明では第１パーティションに符号１０を用いる。
【００１３】
接続用スリット１１、１２は、平面視した際に一の第１パーティション１０ａと他の第１パーティション１０ｂとを交差した状態で組付け可能にする。例えば、第１パーティション１０ａの接続用スリット１１を上向きにし、第１パーティション１０ｂの接続用スリット１１は下向きに配置した上で第１パーティション１０ｂを第１パーティション１０ａに差し込む。これにより、第１パーティション１０ａと第１パーティション１０ｂとを組付けることができる。
【００１４】
接続用スリット１１、１２は、第１パーティション１０において矩形状を構成する第１辺１７に設けている。接続用スリット１１、１２は、第１パーティション１０によって図１に示すように多角形の避難スペースを形成できるように一辺において異なる端部付近、すなわち図３における左側に接続用スリット１１を設け、右側に接続用スリット１２を設けている。接続用スリット１１、１２は、設置状態において鉛直方向に延在する直線形状に構成している。
【００１５】
接続用スリット１１、１２は、第１パーティション１０ａ、１０ｂを組付け、第２パーティション２０を第１パーティション１０ａ、１０ｂに組付けていない状態において第１パーティション１０ａ、１０ｂが形成する角度を変更可能な幅寸法ｄ１に形成している。また、幅寸法ｄ１は接続用スリット１１、１２における一つのスリットに２枚の第１パーティションを取り付け可能な寸法に構成している。
【００１６】
規制用スリット１３〜１６は、平面視した際に交差した状態に組付けられた第１パーティション１０ａと第１パーティション１０ｂの各々に第２パーティション２０を組付けている。規制用スリット１３〜１６は、これにより第１パーティション１０ａと第１パーティション１０ｂとが形成する角度を規制する。規制用スリット１４、１６は、図３に示すように第１パーティション１０において矩形状を構成し、接続用スリット１１、１２及び規制用スリット１３、１５を設けた第１辺１７と対向する第２辺１８に設けている。
【００１７】
第２パーティション２０は、第１パーティション１０と同様に矩形の平面状に形成している。第２パーティション２０は、図４に示すように規制用スリット２１、２２を備える。
【００１８】
第２パーティション２０は、平面視した際に交差した状態に組付けられた第１パーティション１０ａと第１パーティション１０ｂの各々に組付けられる。規制用スリット２１、２２は、これにより第１パーティション１０ａと第１パーティション１０ｂとが形成する角度を規制する。規制用スリット２１、２２は、本実施形態において矩形状の第２パーティション２０における一辺に並ぶように設けている。
【００１９】
なお、第１パーティション１０、第２パーティション２０の材料は特に限定されないが、一例として繊維強化プラスチックを含むように構成できる。
【００２０】
次に、本実施形態に係るパーティションセットの組付け方法について説明する。まず、第１パーティション１０ａの接続用スリット１１、１２が上を向き、第１パーティション１０ｂの接続用スリット１１、１２が下を向くようにする。この状態で第１パーティション１０ｂの接続用スリット１１、１２を第１パーティション１０ａの接続用スリット１１、１２に差し込んで第１パーティション１０ａと第１パーティション１０ｂとを組付ける。
【００２１】
図１に示すように平面視した際の避難スペースの形状を四角形に形成する場合、四角形を構成する残りの辺についても第１パーティション１０を第１パーティション１０ａ、１０ｂの接続用スリット１１、１２の向きが互い違いになるようにして組付ける。接続用スリット１１、１２における差し込みは、パーティションセットＳにおいて第１パーティション１０ａ、１０ｂが形成する頂点における角度を調整可能にしている。このため、隣接する第１パーティション１０ａ、１０ｂのなす角度を固定するために、以下に示すように第２パーティション２０を第１パーティション１０に組付ける。
【００２２】
すなわち、第１パーティション１０ａと第１パーティション１０ｂとを組付けた際に上を向く規制用スリット１３〜１６のいずれかに対して第２パーティション２０の規制用スリット２１、２２を差し込む。これにより、第１パーティション１０ａと第１パーティション１０ｂのなす角度が固定される程度に規制される。
【００２３】
以上説明したように本実施形態に係るパーティションセットＳは、第１パーティション１０と、第２パーティション２０と、を有する。第１パーティション１０と第２パーティション２０は、矩形の平面状に構成している。第１パーティション１０は、接続用スリット１１、１２を備える。接続用スリット１１、１２は、平面視した際に第１パーティション１０ａと第１パーティション１０ｂとを交差した状態で組付け可能に構成している。第１パーティション１０は、規制用スリット１３、１４を備え、第２パーティション２０は規制用スリット２１、２２を備える。規制用スリット１３〜１６、２１、２２は、平面視した際に交差した状態に組付けられた第１パーティション１０ａ、１０ｂの各々に第２パーティション２０を組付けることによって第１パーティション１０ａ、１０ｂのなす角度を規制する。
【００２４】
このように構成することによって、第１パーティション１０ａ、１０ｂ及び第２パーティション２０を互いに差し込んで組付ける程度の作業にて簡便に避難スペースを用意することができる。
【００２５】
また、接続用スリット１１、１２は第１パーティション１０において矩形状を構成する第１辺１７に設けている。規制用スリット１４、１６は、第１パーティション１０において矩形状を構成し規制用スリット１３、１５を設ける第１辺１７に対向する第２辺１８に設けるように構成している。このように構成することによって第１パーティション１０の第１辺１７と第２辺１８のどちらが上を向いたとしても第２パーティション２０を第１パーティション１０ａ、１０ｂに対して上から差し込むことができる。設置状態において第１パーティション１０ａに第１パーティション１０ｂを組付けていれば、下側は接地している可能性が高いため、上記のように構成することによって第１パーティション１０ａ、１０ｂを動かすことなく、組付け作業を実施できる。
【００２６】
また、接続用スリット１１、１２は、第１パーティション１０ａ、１０ｂを組付け、第２パーティション２０を第１パーティション１０ａ、１０ｂに組付けていない状態で第１パーティション１０ａ、１０ｂのなす角度が変更可能な幅寸法ｄ１に構成している。このように構成することによって、図１ではブロックＢを四角形に形成しているが、第１パーティション１０ａ、１０ｂのなす角度を変更して避難スペースの形状を他の多角形等の様々な形状に形成できる。
【００２７】
また、第１パーティション１０及び第２パーティション２０は、ＦＲＰ（繊維強化プラスチック）を材料に含むように構成している。そのため、軽量でありながら、避難スペースに一定の強度を付与することができる。なお、第１パーティション１０及び第２パーティション２０を構成する材料は上記以外にも段ボール、プラダン、合成樹脂、強化繊維、金属等を含むように構成してもよい。
【００２８】
なお、本発明は上述した実施形態にのみ限定されず、特許請求の範囲において種々の変更が可能である。図５は、本発明の変形例に係るパーティションセットのブロックＢ１を示す斜視図である。パーティションセットＳでは第１パーティション１０と第２パーティション２０とによって平面視した際に略四角形のブロックＢを複数形成する実施形態について説明した。しかし、パーティションセットを構成するブロックの形状は上記に限定されない。ブロックは、図５に示すブロックＢ１などを平面視した際の六角形等のように四角形以外の多角形で構成してもよい。
【００２９】
図６は変形例に係る第２パーティション２０ａを示す正面図である。第２パーティション２０は規制用スリット２１、２２のようにスリットを２つ有すると説明したが、これに限定されない。第２パーティション２０ａは、図６に示すように３つの規制用スリット２３、２４、２５を備える。これにより、パーティションセットを構成するブロックの形状に応じて規制用スリット２３、２４、２５の中から任意の２つのスリットを選択するように構成してもよい。これにより、パーティションセットのブロックの形状を所望の避難スペースの形状に応じて適宜変更でき、柔軟に対応することができる。
【００３０】
また、パーティションセットは規制用スリットの並ぶ間隔が異なる２種類以上の第２パーティション２０、２０ａを備えるように構成してもよい。このように構成することによって上記と同様にブロックの形状を適切な仕様にして現場に適切な避難スペースを形成することができる。
【符号の説明】
【００３１】
１０  第１パーティション、
１０ａ  第１パーティション（一の第１パーティション）、
１０ｂ  第１パーティション（他の第１パーティション）、
１１、１２  接続用スリット、
２０  第２パーティション、
１３、１４、１５、１６、２１、２２  規制用スリット、
１７  第１辺、
１８  第２辺、
Ｂ，Ｂ１  ブロック、
ｄ１  幅寸法、
Ｓ  パーティションセット。
【要約】      （修正有）【課題】簡便に避難スペースを用意できるパーティションを提供する。【解決手段】パーティションセットは、第１パーティション１０と第２パーティション２０を備える。第１パーティション及び第２パーティションは矩形の平面状に構成され、第１パーティションは平面視した際に第１パーティションを交差した状態で組付け可能な接続用スリットを備え、第１パーティション及び第２パーティションは平面視した際に交差した状態に組付けられた一の第１パーティションと他の第１パーティションの各々に第２パーティションを組付けることによって一の第１パーティションと他の第１パーティションとのなす角度を規制する規制用スリットを備える。【選択図】図１【図１】
0006832030.tif 000002
【図２】
0006832030.tif 000003
【図３】
0006832030.tif 000004
【図４】
0006832030.tif 000005
【図５】
0006832030.tif 000006
【図６】
0006832030.tif 000007